(57)【要約】【課題】平面材料をプレス成形して製造でき低コストで量産性が高くて、買った商品を入れたレジ袋の上面両側部に形成された手提げ用ループ部分を輪にしてここに当てがうことができて、手に食い込まないで重いレジ袋を持ち上げることに供し得るレジ袋用手提げ具。【解決手段】折り曲げる前はほぼ矩形の平面であり、チャンネル形に折り曲げるときの大きさが、Ｕ字溝状に折り曲げた掌の中にほぼ収まりかつチャンネル方向には人差し指側と小指側より僅かに張出す大きさである、厚い板紙又はプラスチックプレートよりなる手提げ具本体１１よりなる。Ｔ字型の切り込み１２，１３と、２本の折曲げ用薄肉線状部１４，１５とを有していて、折曲げ用薄肉線状部１４，１５より両側部分を折り曲げるとチャンネル形になり、Ｔ字型の切り込み１２，１３を設けたので垂下片１２，１３が垂下し、ここにレジ袋のループ部分が挟まる。【選択図】図１
2007159988.tif 000002
【特許請求の範囲】
【請求項１】
折り曲げる前はほぼ矩形の平面であり、チャンネル形に折り曲げるときの大きさが、Ｕ字溝状に折り曲げた掌の中にほぼ収まりかつチャンネル方向には人差し指側と小指側より僅かに張出す大きさである、厚い板紙又はプラスチックプレートよりなる手提げ具本体と、
この手提げ具本体の前記チャンネル方向の両側縁中央部より設けられたＴ字型の切り込みと、
この手提げ具本体の中央部に一対のＴ字型の切り込み同士を繋ぐように形成された前記チャンネル形に折り曲げるための平行な２本の折曲げ用薄肉線状部とを有してなる、
ことを特徴とするレジ袋用手提げ具。
【発明の詳細な説明】
【技術分野】
【０００１】
本発明は、買った商品を入れたレジ袋の手提げ用ループ部分を輪に当てがってレジ袋を持ち上げると手提げ用ループ部分が手に食い込まないでレジ袋を持ち上げることができるレジ袋用手提げ具に関する。
【背景技術】
【０００２】
スーパーマーケットで買い物をした場合、ポリエチレンフィルムのインフレーションチューブを所要形状にシールカットしてなるレジ袋を貰い、このレジ袋に買った物を入れて自宅に持ち帰っている。そして、買った商品をレジ袋に満杯に収納すると、レジ袋の上面両側部に形成された手提げ用ループ部分を輪にして持ち上げると、手提げ用ループ部分が掌に食い込み痛くてこのレジ袋を長時間に亘り提げることができないという問題点があった。そこで、買った商品を入れたレジ袋の手提げ用ループ部分を輪に当てがってレジ袋を持ち上げると手提げ用ループ部分が手に食い込まないでレジ袋を持ち上げることができるレジ袋用手提げ具が提案されている（特許文献１参照）。
【特許文献１】特開２００２−１０８２２号公報
【発明の開示】
【発明が解決しようとする課題】
【０００３】
特許文献１に示すレジ袋用手提げ具は、レジで精算を終えた顧客がレジ袋に買った物を積め込むための作業テーブル上の箱内に無料で置いてあって、立体形状であり、成形機で複数個取りして人手により切り離して製造するので、樹脂使用量が多くかつ切り離しに人件費がかかり製作コストが高く付いている。また、特許文献１に示すレジ袋用手提げ具は、広告媒体に成り得る平面体ではない。
本発明は、上述した点に鑑み案出されたものであり、量産性が高く低コストで、買った商品を入れたレジ袋の手提げ用ループ部分を輪にしてここに当てがうことができて手に食い込まないで重いレジ袋を持ち上げるためのレジ袋用手提げ具を提供するものである。
【課題を解決するための手段】
【０００４】
上記課題を解決するため、本発明のレジ袋用手提げ具は、折り曲げる前はほぼ矩形の平面であり、チャンネル形に折り曲げるときの大きさが、Ｕ字溝状に折り曲げた掌の中にほぼ収まりかつチャンネル方向には人差し指側と小指側より僅かに張出す大きさである、厚い板紙又はプラスチックプレートよりなる手提げ具本体と、この手提げ具本体の前記チャンネル方向の両側縁中央部より設けられたＴ字型の切り込みと、この手提げ具本体の中央部に一対のＴ字型の切り込み同士を繋ぐように形成された前記チャンネル形に折り曲げるための平行な２本の折曲げ用薄肉線状部とを有してなる、
ことを特徴とする。
【０００５】
上記構成によれば、容易にチャンネル形に曲成することができる。チャンネル形とすると、両側のＴ字型の切り込み部分によって、チャンネル底面部の四隅に小さな垂下片を形成する。買った商品を入れたレジ袋の上面両側部に形成された手提げ用ループ部分を輪にしてチャンネル溝に載せて一端持ち上げて下ろすと、Ｔ字型の切り込み部分にレジ袋の手提げ用ループ部分が挟まり固定された状態に維持される。チャンネル形とした、レジ袋用手提げ具は、面積が大きいのでレジ袋が重くても掌に食い込むことがなく持ち易い。
【発明の効果】
【０００６】
本発明によれば、大きなあるいは連続した厚い板紙又はプラスチックプレートの平面材料をプレス成形して製造できるので低コストで量産性が高くて、積層して仕舞って置くことができて、使用時にチャンネル形に折り曲げることが容易であり、買った商品を入れたレジ袋の上面両側部に形成された手提げ用ループ部分を輪にしてここに当てがうことができて、一端持ち上げてから下ろすと、ループ部分に落ちないように取りつけることができ、手に食い込まないで重いレジ袋を持ち上げることに供し得る。
【発明を実施するための最良の形態】
【０００７】
以下、本発明の実施形態を図面を用いて説明する。
図１は、本発明のレジ袋用手提げ具の一実施形態の概略の全体正面図を示す。図１に示すように、このレジ袋用手提げ具１０は、厚い板紙又はプラスチックプレートよりなる手提げ具本体１１よりなる。この手提げ具本体１１は、折り曲げる前はほぼ矩形の平面であり、チャンネル形に折り曲げるときの大きさが、Ｕ字溝状に折り曲げた掌の中にほぼ収まりかつチャンネル方向には人差し指側と小指側より僅かに張出す大きさである。具体的には、例えば、６０ｍｍ×１００ｍｍとするのが好ましい。
【０００８】
この手提げ具本体１１には、２つのＴ字型の切り込み１２，１３と、２本の折曲げ用薄肉線状部１４，１５とを有している。
Ｔ字型の切り込み１２，１３は、手提げ具本体１１のチャンネル方向の両側縁中央部より設けられている。Ｔ字型の切り込み１２，１３は、チャンネル形に折り曲げたときの底面部の四隅に垂下片１６，１７を垂下させるためである。
【０００９】
折曲げ用薄肉線状部１４，１５は、手提げ具本体１１の中央部に一対のＴ字型の切り込み同士を繋ぐように形成された前記チャンネル形に折り曲げるための平行に形成されている。折曲げ用薄肉線状部１４，１５は、２本の折曲げ用薄肉線状部１４，１５より両側部分を直角に折り曲げ易くするために形成されている。この折り曲げはいずれの側へ行っても良い。
【００１０】
手提げ具本体１１を厚い板紙で形成する場合、例えば厚さ１ｍｍ前後で硬くて曲がり難い板紙を選択するのが好ましい。また、手提げ具本体１１をプラスチックプレートで形成する場合、これも例えば厚さ１ｍｍ前後で硬くて曲がり難いプラスチックプレートを選択するのが好ましく、特に、割れ難く粘りがある材料を選択するのが好ましい。
折曲げ用薄肉線状部１４，１５の長さは例えば９０ｍｍであり、また間隔は例えば２０ｍｍ前後であることが好ましい。
【００１１】
このレジ袋用手提げ具１０は、連続する材料に対してＴ字型の切り込み１２，１３と折曲げ用薄肉線状部１４，１５をプレスにより形成し、所定の大きさにカットすることで次々に製造できる。またこのレジ袋用手提げ具１０は、成形法により製造することができる。
【００１２】
このレジ袋用手提げ具１０は、図２に示すように２本の折曲げ用薄肉線状部１４，１５より両側部分１１ｂ，１１ｃを直角に折り上げるとチャンネル形に曲成される。チャンネル形としたレジ袋用手提げ具１０の大きさは、人差し指から小指までの４本の指を折り曲げてＵ字溝状にした掌の中にほぼ収まる大きさであり、チャンネル方向には人差し指側と小指側より僅かに張出す大きさである。
チャンネル形としたレジ袋用手提げ具１０は、Ｔ字型の切り込み１２，１３部分があるので、チャンネル底面部の四隅に小さな垂下片１６，１７を形成する。チャンネル形としたレジ袋用手提げ具１０のチャンネルの底面部１１aに、買った商品を入れたレジ袋Ｐの上面両側部に形成された手提げ用ループ部分を輪にして載せて、掌で持ち上げるようにしてから下ろすと、チャンネル形の両側面部１１ｂ，１１ｃが広がり気味になり、チャンネル底面部の四隅に垂下片１６，１７とチャンネル形の底面部１１ａの端縁との隙間が狭まりレジ袋の手提げ用ループ部分を挟む。
このため、レジ袋用手提げ具１０から手を離しても、レジ袋用手提げ具１０はレジ袋Ｐの手提げ用ループ部分に固定された状態に維持される。そして、レジ袋用手提げ具１０は、多少の力が加わってもクチャッと折れないでチャンネル形をしっかりと保持できる。
従って、レジ袋用手提げ具１０から手を離したときにレジ袋用手提げ具１０がレジ袋の手提げ用ループ部分から外れて落ちてしまうということがないから取着性・使い勝手が良く、大きなあるいは連続した厚い板紙又はプラスチックプレートをプレス成形により製造できるので低コストで量産性が高いレジ袋用手提げ具１０を提供できる。
【００１３】
以上、図面を参照して本発明のレジ袋用手提げ具の実施形態を詳述したが、本発明発明は、上記実施形態に限定されない。
本発明の要旨から逸脱しない範囲での種々の設計変更を含むものである。
例えば、本発明のレジ袋用手提げ具は、平面形状なので印刷に向いていて広告媒体に成り得るから、広告媒体としての変形を加えても良い。２本の折曲げ用薄肉線状部１４，１５の間隔を僅かに変えた２種類のレジ袋用手提げ具を用意しておいて、特に重いレジ袋については２枚重ねのチャンネル形に曲成できるようになっていてもよい。この場合、密着面のラベルを剥離して粘着させても良い。
【図面の簡単な説明】
【００１４】
【図１】本発明の実施形態のレジ袋用手提げ具の正面図である。
【図２】図１のレジ袋用手提げ具を折り曲げたときの斜視図である。
【図３】図１のレジ袋用手提げ具の使用状態図である。
【符号の説明】
【００１５】
１０  レジ袋用手提げ具
１１  手提げ具本体
１２，１３  Ｔ字型の切り込み
１４，１５  折曲げ用薄肉線状部
１４，１５とを有している。
１６，１７  垂下片
【図１】
2007159988.tif 000003
【図２】
2007159988.tif 000004
【図３】
2007159988.tif 000005